(57)【特許請求の範囲】
【請求項１】
トンネルの施工中に発生する濁水を前記トンネル外に設けられた濁水処理設備で処理することにより処理水とした後、該処理水を管路を介してトンネル外の河川あるいは下水施設に排出するに際して、
前記管路に、前記濁水処理設備に接続された吸水口と、前記河川あるいは前記下水施設の近傍に位置する排水口とを設け、
前記管路を流れる処理水の流れにより回転駆動して発電を行う水車を、該水車が前記排水口から排出される処理水によって回転駆動される第１の位置と、前記水車が前記河川あるいは前記下水施設を流れる水によって回転駆動される第２の位置との間で移動させるようにした、
ことを特徴とする施工中トンネルの発電方法。
【請求項２】
前記処理水の流れにより発電された電力を前記濁水処理設備、前記トンネル内の設備、前記トンネル施工のために設けられたトンネル外の設備の少なくとも１つに供給する、
ことを特徴とする請求項１記載の施工中トンネルの発電方法。
【請求項３】
トンネルの施工中に発生する濁水を処理して処理水とする濁水処理設備から前記河川あるいは前記下水施設まで延在する管路と、
前記管路を流通する処理水により回転駆動される水車および前記水車の回転により発電する発電機を有する発電装置とを備え、
前記管路は、前記濁水処理設備に接続された吸水口と、前記河川あるいは前記下水施設の近傍に位置する排水口とを有し、
前記水車を、該水車が前記排水口から排出される処理水によって回転駆動される第１の位置と、前記水車が前記河川あるいは前記下水施設を流れる水によって回転駆動される第２の位置との間で移動させる移動機構が設けられている、
ことを特徴とする施工中トンネルの発電システム。
【請求項４】
前記発電機によって発電された電力は、前記濁水処理設備、前記トンネル内の設備、前記トンネル施工のために設けられたトンネル外の設備の少なくとも１つの設備に供給される、
ことを特徴とする請求項３記載の施工中トンネルの発電システム。
【請求項５】
前記発電機によって発電された電力を充電するバッテリーを備え、
前記電力の前記設備への供給は前記バッテリーを介してなされる、
ことを特徴とする請求項４記載の施工中トンネルの発電システム。
【発明の詳細な説明】
【技術分野】
【０００１】
本発明は施工中トンネルの発電方法および施工中トンネルの発電システムに関する。
【背景技術】
【０００２】
施工中のトンネルにおいては、施工に伴い泥や砂を含んだ濁水が発生する。また、覆工作業によりコンクリートの打設を行うと、セメントの成分を含んだアルカリ性の濁水も発生する。このような濁水は施工の妨げとなるため、トンネルの外部に排出しなくてはならない。
しかしながら、このような泥や砂を含み、あるいは、アルカリ性を呈する濁水をそのまま河川や下水施設に放流すると汚染を招いてしまう。
そこで、濁水処理設備により濁水に薬剤を注入して中和させると共に、凝集剤を注入して泥や砂をスラリーを凝集させ、上澄みとなった水（以下処理水という）を河川や下水施設に放流している（特許文献１参照）。
また、上記の濁水処理設備、トンネル内の設備、トンネル施工のために設けられたトンネル外の設備は、照明装置やポンプなど電力を消費する様々な設備を備えている。
【先行技術文献】
【特許文献】
【０００３】
【特許文献１】特開２００７−３０７５１５号公報
【発明の概要】
【発明が解決しようとする課題】
【０００４】
ところで、これら濁水処理設備や照明装置などの設備は、トンネルの規模が大きくなるほど多大な電力を消費するため、近年の省エネルギー化、ＣＯ２排出量の抑制の観点から如何にして電力消費量を抑制するかが重要となっている。
一方、上述した濁水処理設備において河川や下水施設に排水される処理水に着目すると、この処理水の流れのエネルギーは何ら利用されておらず、処理水の流れのエネルギーを有効に再利用することが考えられる。
本発明はこのような事情に鑑みなされたものであり、その目的は、施工中のトンネルにおける濁水処理設備から排水される処理水の流れを利用して発電を行うことによりトンネルの施工に関する設備の省電力化を図ることができる施工中トンネルの発電方法および施工中トンネルの発電システムを提供することにある。
【課題を解決するための手段】
【０００５】
上述の目的を達成するため、本発明の施工中トンネルの発電方法は、トンネルの施工中に発生する濁水を前記トンネル外に設けられた濁水処理設備で処理することにより処理水とした後、該処理水を管路を介してトンネル外の河川あるいは下水施設に排出するに際して、前記管路に、前記濁水処理設備に接続された吸水口と、前記河川あるいは前記下水施設の近傍に位置する排水口とを設け、前記管路を流れる処理水の流れにより回転駆動して発電を行う水車を、該水車が前記排水口から排出される処理水によって回転駆動される第１の位置と、前記水車が前記河川あるいは前記下水施設を流れる水によって回転駆動される第２の位置との間で移動させるようにしたことを特徴とする。
また、本発明の施工中トンネルの発電システムは、トンネルの施工中に発生する濁水を処理して処理水とする濁水処理設備から前記河川あるいは前記下水施設まで延在する管路と、前記管路を流通する処理水により回転駆動される水車および前記水車の回転により発電する発電機を有する発電装置とを備え、前記管路は、前記濁水処理設備に接続された吸水口と、前記河川あるいは前記下水施設の近傍に位置する排水口とを有し、前記水車を、該水車が前記排水口から排出される処理水によって回転駆動される第１の位置と、前記水車が前記河川あるいは前記下水施設を流れる水によって回転駆動される第２の位置との間で移動させる移動機構が設けられていることを特徴とする。
【発明の効果】
【０００６】
本発明によれば、従来、何ら利用されることが無かった、施工中のトンネルにおける濁水処理設備から排水される処理水の流れのエネルギーを有効に再利用して発電を行うことによりトンネルの施工に関わる設備の省電力化を図ることができる。
【図面の簡単な説明】
【０００７】
【図１】第１の実施の形態の施工中トンネルの発電システム２２の構成を示す説明図である。
【図２】第２の実施の形態の施工中トンネルの発電システム２２の構成を示す説明図である。
【図３】第３の実施の形態の施工中トンネルの発電システム２２の構成を示す説明図である。
【図４】第４の実施の形態の施工中トンネルの発電システム２２の構成を示す説明図である。
【図５】第５の実施の形態の施工中トンネルの発電システム２２の構成を示す説明図である。
【図６】第６の実施の形態の施工中トンネルの発電システム２２の構成を示す説明図である。
【発明を実施するための形態】
【０００８】
（第１の実施の形態）
次に本発明の実施の形態の施工中トンネルの発電システムと施工中トンネルの発電方法について図１を参照して説明する。
図１に示すように、地山１０を水平方向に掘削することによりトンネル１２が施工される。
トンネル１２の坑道１４は、抗口１６を介して野外に面しており、坑道１４の前端は不図示の切羽となっている。
坑道１４に沿って前記切羽あるいは坑道１４内部で発生した濁水を濁水処理設備１８に移送する濁水移送用管路２０が設けられている。なお、濁水移送用管路２０には濁水を移送するための不図示の水中ポンプが設けられている。また、坑道１４に沿って側溝を設け、この側溝を用いて濁水を濁水処理設備１８に移送してもよい。
【０００９】
濁水処理設備１８は、トンネル１２の外側に設置され、本実施の形態では、地山１０に形成された平坦面１０Ａに設置されている。
濁水処理設備１８は、濁水移送用管路２０により移送された濁水を処理して処理水とするものである。
本実施の形態では、濁水処理設備１８は、原水槽１８０２、水処理部１８０４、放流槽１８０６を含んで構成されている。
原水槽１８０２は、濁水移送用管路２０から移送された濁水を収容し、濁水に含まれる泥や砂を沈殿させるものである。
水処理部１８０４は、原水槽１８０２に蓄えられた濁水の上澄み水を収容し、この収容した上澄み水に中和剤を入れてアルカリ性を中和させると共に、中和された上澄み水に高分子凝集剤を注入してスラリーを沈殿させるものである。
放流槽１８０６は、水処理部１８０４で処理された上澄み水を処理水として収容するものである。
図中、符号１８０８は原水槽１８０２と水処理部１８０４とを接続する管路、１８１０は管路１８０８を介して原水槽１８０２から水処理部１８０４に濁水を移送する第１の水中ポンプ、符号１８１２は水処理部１８０４から放流槽１８０６に処理水を移送する管路を示す。
また、濁水処理設備１８には、後述する制御盤２８と、バッテリー３０と、複数の照明装置３２とが設けられている。
【００１０】
施工中トンネルの発電システム２２は、管路２４と、発電装置２６とを含んで構成されている。
管路２４は、濁水処理設備１８から河川４まで延在して設けられており、濁水処理設備１８で処理された処理水をトンネル１２外の河川４に排出するものである。なお、処理水を排出する場所は、河川４のほか、下水施設（下水道）などであってもよい。
管路２４は、濁水処理設備１８（放流槽１８０６）に接続された吸水口２４０２と、河川４の近傍に位置する排水口２４０４とを有しており、吸水口２４０２が排水口２４０４よりも高い位置に配置されることにより管路２４に水頭差が設けられている。
本実施の形態では、管路２４は、濁水処理設備１８が設置された平坦面１０Ａから河川４にわたって形成された傾斜面１０Ｂに沿って延在している。
また、管路２４の吸水口２４０２には、放流槽１８０６の処理水を管路２４に移送する第２の水中ポンプ２５が設けられている。
なお、濁水処理設備１８は、図示しない受電設備から供給される電力によって稼働している。
【００１１】
発電装置２６は、水車２６０２と、ケース２６０４と、発電機２６０６とを含んで構成されている。
水車２６０２は、管路２４を流通する処理水により回転駆動されるものである。
ケース２６０４は、水車２６０２を収容すると共に、水車２６０２を回転可能に支持するものである。
発電機２６０６は、ケース２６０４の外側に設けられ、回転軸を介して水車２６０２に連結され、水車２６０２の回転により発電するものである。
本実施の形態では、発電装置２６は、水車２６０２が排水口２４０４から排出される処理水によって回転駆動される位置に設けられている。また、水車２６０２が配置される管路２４の箇所は、管路２４の下流端で河川４に処理水が排出される箇所である。
より詳細には、管路２４の排水口２４０４は、ケース２６０４の内側に配置されており、排水口２４０４は、噴射ノズル２４０４Ａとして形成されており、処理水が噴射ノズル２４０４Ａから水車２６０２に噴射されるように構成されている。
なお、このような発電装置２６として、小水力発電（マイクロ水力発電）に使用されているクロスフロー水車、あるいは、フランシス水車を用いた発電装置など従来公知の様々な発電装置が使用可能である。
【００１２】
前述したように濁水処理設備１８には、制御盤２８と、バッテリー３０と、複数の照明装置３２とが設けられている。
制御盤２８は、発電機２６０６、バッテリー３０および複数の照明装置３２にそれぞれケーブル３４、３６、３８を介して接続されており、発電機２６０６から供給される電力をバッテリー３０に供給すると共に、バッテリー３０の電力を照明装置３２に配電するものである。
なお、制御盤３２は、バッテリー３０が満充電である場合には、発電機２６０６に制御信号を与えることでブレーキをかけて発電動作を停止させる機能を備えており、バッテリー３０の過充電防止が図られている。
バッテリー３０は、発電機２６０６によって発電された電力を充電するものである。
照明装置３２は、バッテリー３０から制御盤３２およびケーブル３８を介して供給される電力により濁水処理設備１８に照明光を照射するものであり、本実施の形態では、発光ダイオード（ＬＥＤ）を用いており、例えば消費電力は４０Ｗである。
照明装置３２は、発光ダイオード以外を用いたものであってもよいが、発光ダイオードを用いると、省電力化を図る上で有利となる。
【００１３】
次に、発電システム２２の作用効果について説明する。
濁水処理設備１８が稼働し、トンネル１２の施工に伴って排出された濁水が濁水移送用管路２０を介して原水槽１８０２に移送され、原水槽１８０２に蓄えられた濁水の上澄み水は、水処理部１８０４により中和処理、スラリーの沈殿処理がなされたのち、放流槽１８０６に処理水として蓄えられる。
第２の水中ポンプ２５により放流槽１８０６の処理水が吸入口２４０２を介して管路２４に移送される。
管路２４に移送された処理水は、第２の水中ポンプ２５による圧送および管路２４の水頭差により管路２４を通って排水口２４０４に向かって流れる。
排水口２４０４（噴射ノズル２４０４Ａ）から噴射された処理水により発電装置２６の水車２６０２が回転駆動され、これにより発電機２６０６が電力を発電する。
水車２６０２を回転駆動させた処理水は、ケース２６０４から河川４に落下、放流される。
発電された電力は、ケーブル３４、配電盤２８、ケーブル３６を介してバッテリー３０に充電される。バッテリー３０に蓄えられた電力は配電盤２８からケーブル３８を介して各照明装置３２に供給され、これにより照明装置３２が動作して濁水処理施設１８を照明する。
なお、発電した電力は、濁水処理施設１８の照明装置３２以外にも、トンネル１２の坑道１４に設けられた照明装置に供給することができる。また、発電した電力は、後述する第４，第５の実施の形態で説明するように、トンネル１２の施工にまつわる様々な設備に供給することができる。すなわち、発電した電力は、濁水処理設備１８、トンネル１２内の設備、トンネル施工のために設けられたトンネル１２外の設備の少なくとも１つに供給される。
以上説明したように、本実施の形態によれば、トンネル１２の施工中に発生する濁水をトンネル１２外に設けられた濁水処理設備１８で処理することにより処理水とした後、該処理水を管路２４を介してトンネル１２外の河川４に排出するに際して、管路２４を流れる処理水の流れにより水車２６０２を回転駆動して発電を行うようにした。
したがって、従来、何ら利用されることが無かった、河川４や下水施設に放流される処理水の流れのエネルギーを有効に再利用して発電を行うことによりトンネル１２の施工に関わる設備の省電力化を図ることができる。
【００１４】
（第２の実施の形態）
次に第２の実施の形態について説明する。
図２に示すように、第２の実施の形態は、管路２４が複数の管体４０同士が接続されることで構成され、発電装置２６は、管体４０同士が接続される箇所に配置されている点が第１の実施の形態と異なり、それ以外は第１の実施の形態と同様である。
なお、以下の実施の形態において、第１の実施の形態と同様の部分、部材については同一の符号を付してその説明を省略し、あるいは、簡単に行う。
図２に示すように、管路２４は、２つの管体４０Ａ、４０Ｂ同士が接続されることで構成されており、管体４０Ａ、４０Ｂ同士が接続される箇所は、発電装置２６のケース２６０４である。
したがって、発電装置２６は２つの管体４０Ａ、４０Ｂ同士が接続される箇所に配置されている。
また、管路２４は、第１の実施の形態と同様に水頭差が設けられており、管路２４は、濁水処理設備１８が設置された平坦面１０Ａから河川４にわたって形成された傾斜面１０Ｂに沿って延在している。
したがって、発電装置２６の水車２６０２が配置される箇所は、水平面に対して斜めに傾いた管路４０の箇所である。
一方の管体４０Ａの一端は吸入口２４０２として放流槽１８０６内に位置し、他端はケース２６０４内に位置している。ケース２６０４内に位置する管体４０Ａの他端は噴射ノズルとなっている。
他方の管体４０Ｂの一端は、ケース２６０４内に位置し、他端は排水口２４０４として河川４の近傍に位置している。
【００１５】
このような構成によれば、第２の水中ポンプ２５により放流槽１８０６の処理水が吸入口２４０２を介して一方の管体４０Ａに移送されると、処理水は、第２の水中ポンプ２５の圧送および管路２４の水頭差により管路２４を通って排水口２４０４に向かって流れる。
一方の管体４０Ａの他端の噴射ノズルから噴射された処理水により発電装置２６の水車２６０２が回転駆動され、これにより発電機２６０６が電力を発電する。
水車２６０２を回転駆動させた処理水はケース２６０４から他方の管体４０Ｂに導かれ排水口２４０４から河川４に落下、放流される。
発電された電力は、第１の実施の形態と同様に、バッテリー３０に蓄えられ、また、バッテリー３０に蓄えられた電力は各照明装置３２に供給され、これにより照明装置３２が動作して濁水処理施設１８を照明する。
第２の実施の形態によれば、第１の実施の形態と同様の効果が奏されることは無論のこと、管体４０Ａ、４０Ｂを接続する箇所に発電装置２６を設けるようにしたので、管体４０Ａと管体４０Ｂとを接続することで管路２４を構成する作業と同時に発電装置２６を設置するできるため、作業工数の低減を図る上で有利となる。
【００１６】
（第３の実施の形態）
次に第３の実施の形態について説明する。
第３の実施の形態は、第２の実施の形態の変形例であり、図３に示すように、管路２４が４つの管体で構成され、３つの発電装置２６がそれら４つの管体同士が接続される３つの箇所のそれぞれに配置されている点が第２の実施の形態と異なり、それ以外は第２の実施の形態と同様である。
説明の都合上、４つの管体４０を第１乃至第４の管体４０Ａ、４０Ｂ、４０Ｃ、４０Ｄとし、３つの発電装置２６を第１乃至第３の発電装置２６Ａ、２６Ｂ、２６Ｃとする。
図３に示すように、管路２４は、処理水が流れる方向に沿って第１乃至第４の管体４０Ａ、４０Ｂ、４０Ｃ、４０Ｄが順番に接続されることで構成されている。
また、管路２４は、第１の実施の形態と同様に水頭差が設けられており、管路２４は、濁水処理設備１８が設置された平坦面１０Ａから河川４にわたって形成された傾斜面１０Ｂに沿って延在している。
したがって、第１乃至第３の発電装置２６Ａ、２６Ｂ、２６Ｃの水車２６０２が配置される箇所は、水平面に対して斜めに傾いた管路４０の箇所である。
管体同士が接続される箇所は、第１乃至第３の発電装置２６Ａ、２６Ｂ、２６Ｃのケース２６０４である。したがって、第２の実施の形態と同様に、第１乃至第３の発電装置２６Ａ、２６Ｂ、２６Ｃは管体同士が接続される箇所に配置されている。ここで、第１乃至第３の発電装置２６Ａ、２６Ｂ、２６Ｃは処理水が流れる方向に沿ってこの順番で配置されている。
最も上流側の第１の管体４０Ａの一端は吸入口２４０２として放流槽１８０６内に位置し、他端は第１の発電装置２６Ａのケース２６０４内に位置しこの他端は噴射ノズルとなっている。
第２の管体４０Ｂの一端は、第１の発電装置２６Ａのケース２６０４内に位置し、他端は第２の発電装置２６Ｂのケース２６０４内に位置しこの他端は噴射ノズルとなっている。
第３の管体４０Ｃの一端は、第２の発電装置２６Ｂのケース２６０４内に位置し、他端は第３の発電装置２６Ｃのケース２６０４内に位置しこの他端は噴射ノズルとなっている。
第４の管体４０Ｄの一端は、第３の発電装置２６Ｃのケース２６０４内に位置し、他端は排水口２４０４として河川４の近傍に位置している。
【００１７】
このような構成によれば、第２の水中ポンプ２５により放流槽１８０６の処理水が吸入口２４０２を介して第１の管体４０Ａに移送されると、処理水は、第２の水中ポンプ２５の圧送および管路２４の水頭差により管路２４を通って排水口２４０４に向かって流れる。
第１、第２、第３の管体４０Ａ、４０Ｂ、４０Ｃの他端の噴射ノズルから噴射された処理水により第１、第２、第３の発電装置２６Ａ、２６Ｂ、２６Ｃの水車２６０２がそれぞれ回転駆動され、これにより各発電機２６０６が電力を発電する。
第３の発電装置２６Ｃの水車２６０２を回転駆動させた処理水はケース２６０４から第４の管体４０Ｄに導かれ排水口２４０４から河川４に落下、放流される。
３つの発電装置２６Ａ、２６Ｂ、２６Ｃで発電された電力は、第１の実施の形態と同様に、バッテリー３０に蓄えられ、また、バッテリー３０に蓄えられた電力は各照明装置３２に供給され、これにより照明装置３２が動作して濁水処理施設１８を照明する。
第３の実施の形態によれば、第２の実施の形態と同様の効果が奏されることは無論のこと、管路２４に設けた複数の発電装置２６Ａ、２６Ｂ、２６Ｃにより同時に発電を行うので、河川４に放流する処理水の流量を増やすことなく発電量を増大させることができ、処理水の流れのエネルギーを有効に利用する上でより有利となる。
【００１８】
（第４の実施の形態）
次に第４の実施の形態について説明する。
第４の実施の形態は、第１の実施の形態の変形例であり、図４に示すように、発電装置２６で発電した電力の一部を濁水処理施設１８の照明装置３２に供給し、残りの電力を濁水処理施設１８の第２の水中ポンプ２５に供給するようにしたものである。
なお、図４において符号３５はケーブル３４から第２の水中ポンプ２５に電力を分配するケーブルを示す。
第４の実施の形態によれば、第１の実施の形態と同様の効果が奏されることは無論のこと、濁水処理施設１８の第２の水中ポンプ２５に前記の受電設備から供給する電力を節約することができ、省電力化を図る上で有利となる。
【００１９】
（第５の実施の形態）
次に第５の実施の形態について説明する。
第５の実施の形態は、第１の実施の形態の変形例であり、図５に示すように、発電装置２６で発電した電力を、濁水処理施設１８の照明装置３２に加えて、トンネル施工のために設けられたトンネル１２外の設備に供給するようにしたものである。
図５に示すように、トンネル１２外の設備は以下のものが例示される。
１）休憩所４４に設けられたエアコン４４０２、携帯電話器用の充電装置４４０４。
２）朝礼看板４８を照明する照明装置４８０２。
３）作業鍛冶場５０の溶接機５００２、切削工具５００４。
第５の実施の形態によれば、第１の実施の形態と同様の効果が奏されることは無論のこと、トンネル施工のために設けられたトンネル１２外の設備に前記の受電設備から供給する電力を節約でき省電力化を図る上で有利となる。
【００２０】
（第６の実施の形態）
次に第６の実施の形態について説明する。
図６に示すように、第６の実施の形態は、第１の実施の形態の変形例であり、発電装置２６の水車２６０２を、管路２４の排水口２２０４（噴射ノズル２２０４Ａ）から排出される処理水と、河川４を流れる水との何れかを選択して回転駆動させるようにしたものである。
すなわち、水車２６０２を、この水車２６０２が排水口２２０４から排出される処理水によって回転駆動される第１の位置Ｐ１と、水車２６０２が河川４を流れる水によって回転駆動される第２の位置Ｐ２との間で移動させる移動機構５２が設けられている。
第６の実施の形態では、水車２６０２と発電機２６０６とが回転軸を介して一体に構成されており、移動機構５２は、ケース２６０４と発電機２６０６との間に設けられている。
移動機構５２は、例えば、送りねじと、送りねじを正逆回転させるモータと、送りねじに螺合された雌ねじを有し発電機２６０６に結合されたスライド部材などを含んで構成されている。
移動機構５２は、モータを正逆回転させることにより前記スライド部材を移動させることにより水車２６０２を第１の位置Ｐ１と第２の位置Ｐ２とにわたって移動させる。
そして、トンネル１２の施工中は、濁水処理設備１８が稼働しているので、移動機構５２を用いて水車２６０２を第１の位置Ｐ１に位置させて管路２４の排水口２４０４から排出される処理水を利用して発電装置２６による発電を行う。
トンネル１２の施工が停止されている期間（休日など）は、濁水処理設備１８が休止しているので、移動機構５２を用いて水車２６０２を第２の位置Ｐ２に位置させて河川４の水の流れを利用して発電装置２６による発電を行う。
【００２１】
第６の実施の形態によれば、第１の実施の形態と同様の効果が奏されることは無論のこと、管路２４に処理水が流れていない場合であっても河川４の水の流れのエネルギーを利用して発電を行うことができるため、濁水処理施設１８が休止していても、設備に対する電力供給を維持しつつ設備の省電力化を図ることができる。
なお、処理水を河川４ではなく下水施設に放流している場合は、移動機構５２は、水車２６０２を、この水車２６０２が排水口２２０４から排出される処理水によって回転駆動される第１の位置Ｐ１と、水車２６０２が下水施設を流れる水によって回転駆動される第２の位置Ｐ２との間で移動させるようにすればよい。
この場合も上記と同様に、管路２４に処理水が流れていない場合であっても下水施設の水の流れのエネルギーを利用して発電を行うことができるため、濁水処理施設１８が休止していても、設備に対する電力供給を維持しつつ設備の省電力化を図ることができる。
【符号の説明】
【００２２】
４……河川、１０……地山、１２……トンネル、１４……坑道、１６……抗口、１８……濁水処理設備、２２……施工中トンネルの発電システム、２４……管路、２２０２……吸水口、２２０４……排水口、２２０４Ａ……噴射ノズル、２５……第２の水中ポンプ、２６……発電装置、２６Ａ〜２６Ｃ……第１乃至第３の発電装置、２６０２……水車、２６０４……ケース、２６０６……発電機、３６……照明装置、４０……管体、４０Ａ〜４０Ｄ……第１〜第４の管体、５２……移動機構。
【図１】
0005856444.tif 000002
【図２】
0005856444.tif 000003
【図３】
0005856444.tif 000004
【図４】
0005856444.tif 000005
【図５】
0005856444.tif 000006
【図６】
0005856444.tif 000007